(57)【特許請求の範囲】
【請求項１】
建屋に設備された昇降路を昇降する乗りかごを利用して新設用のエレベータ機器の重量物を当該建屋の搬入階から積載して当該昇降路内を経由して上方の作業階床面へ運搬した後、当該昇降路頂部の機械室に設けた揚重装置を用いて当該重量物を当該昇降路内に搬送してから当該機械室内に揚重するエレベータ重量物用揚重方法であって、
前記搬入階から前記乗りかご内に前記重量物を積載させて前記作業階まで当該乗りかごを上昇運転させて停止後に当該重量物を当該作業階床面へ運搬する運搬ステップと、
前記乗りかごを下方の作業階下階側に下げて当該乗りかごの天井を作業足場として当該乗りかごを固定した後に当該乗りかごに固定されたメインロープを外す処理を含み、前記重量物を運搬した前記作業階で前記昇降路内に向けて当該昇降路内に設けられたエレベータガイドレール間に固定された支持材上と当該作業階床面上とで水平に支持される分割組立式の揚重用ガイドレールを取付けるレール取付けステップと、
前記機械室床部に揚重装置の部材及び前記重量物を通過可能な寸法の開口部を巻上機支持台間に穿設して形成する開口形成ステップと、
前記機械室内に前記揚重装置を設置する設置ステップと、
前記揚重装置に設けられた電動ウインチと前記重量物とを前記機械室床部の前記開口部を通してウインチロープで固定する処理を含み、当該揚重装置を用いて当該重量物を前記揚重用ガイドレールに案内させて前記作業階床面から前記昇降路内へ搬送する搬送ステップと、
前記揚重装置を用いて前記重量物を前記機械室床部の前記開口部を通して当該機械室内へと揚重する揚重ステップと、を逐次行うと共に、
前記重量物を、前記メインロープで連結されて前記昇降路内で前記乗りかごと釣り合い錘とを当該メインロープを介して駆動する巻上機としたことを特徴とするエレベータ重量物用揚重方法。
【請求項２】
請求項１記載のエレベータ重量物用揚重方法において、
前記重量物を台車上に載置させて固定した構成とし、
前記運搬ステップでは、前記重量物を前記台車を利用して前記乗りかご内に積載させ、
前記搬送ステップでは、前記台車が前記揚重用ガイドレール上を走行して案内することにより前記重量物を前記昇降路内に搬送することを特徴とするエレベータ重量物用揚重方法。
【請求項３】
請求項２記載のエレベータ重量物用揚重方法において、
前記搬送ステップでは、前記揚重用ガイドレール上を走行する前記台車が前記揚重用ガイドレールに設けられた係止部に当接して位置決めされて停止することを特徴とするエレベータ重量物用揚重方法。
【請求項４】
請求項２又は３記載のエレベータ重量物用揚重方法において、
前記台車をヒンジにより自重で折り畳まれて前記機械室床部の前記開口部を通過可能な構成とし、
前記揚重ステップでは、前記機械室床部の前記開口部を通して前記重量物を揚重するときに前記台車が自重で折り畳まれた状態で当該開口部内を通過することを特徴とするエレベータ重量物用揚重方法。
【発明の詳細な説明】
【技術分野】
【０００１】
本発明は、エレベータのリニューアル工事時でエレベータ機器の重量物を対象としての適用が好適なエレベータ重量物用揚重方法に関する。
【背景技術】
【０００２】
従来、長期間使用したエレベータが老朽化すると、既設されたエレベータ機器の全部か、或いはそれらの一部を新品へと取り換えるためのリニューアル工事が必要になる。このとき、建物（ビル）自体の新設当時であれば、建屋上部にクレーンが設置されているので、エレベータの乗りかごの昇降路上部に設置された機械室に各種エレベータ機器を揚重するときにクレーンを使用して容易に作業できるが、建物が完成した後にはクレーンが撤去されるため、リニューアル工事時にはクレーンを使用することができない。そこで、通常リニューアル工事で新設するエレベータ機器は、作業者の人力で階段等を利用して機械室まで揚重しているが、例えば巻上機等の重量物は人力で揚重することができないため、重量物についてはクレーン車で建屋屋上まで揚重したり、或いは建屋階段上に揚重装置を設置して機械室まで揚重している。
【０００３】
ところが、こうした施行手法の適用は、建屋全体の間取りスペースに余裕がある場合に限られ、実際にはクレーン車の作業場所や建屋階段上で揚重装置の設置場所を確保することが困難な場合も少なくなく、制約され易いという事情がある。そこで、このような制約の問題を解消するため、昇降路の最上部を覆う機械室の床に開口部を設け、乗りかごに新設する巻上機を積載し、機械室へ揚重する施工手法が採用されている。因みに、係る施工に関連する揚重方法の周知技術としては、新旧機種の揚重作業における安全性、作業性の向上化を図って迅速に行うことができる「エレベータシステムのリニューアル工事に係る重量物揚重方法」（特許文献１参照）や、穴が穿設される機械室床の下方に機械室の削り片を受け入れる昇降可能なバケットを備えた「エレベータの削り片搬出装置」（特許文献２参照）が挙げられる。
【先行技術文献】
【特許文献】
【０００４】
【特許文献１】特開２０１１−５１７４２号公報
【特許文献２】特公平７−４７４５４号公報
【発明の概要】
【発明が解決しようとする課題】
【０００５】
上述した特許文献１に係る技術は、エレベータのリニューアル工事時に乗りかごから新設する巻上機等の重量物を機械室へ揚重するとき、乗りかごのかご室を解体しなければならず、このときの作業工数が増えるばかりでなく、かご室を解体撤去したかご床を作業台として使用するためにかご床の改造が必要となり、そのための作業工数や部品が必要となることにより、全体的に作業の手間が掛かって煩雑となる上、コストが増大してしまうため、実用上で適用し難いという問題がある。
【０００６】
また、特許文献２に係る技術は、穴が穿設される機械室床の下方に機械室の削り片を受け入れる昇降可能なバケットを備えた構成であり、昇降路の最上部を覆う機械室の床に開口部を設ける際の床の削り片の回収についての便宜が図られるものの、エレベータのリニューアル工事時に重量物を機械室へ揚重する用途での配慮がなされていないため、係る構成では実用上でリニューアル工事へ適用し難いという問題がある。
【０００７】
本発明は、このような問題点を解決すべくなされたもので、その技術的課題は、エレベータのリニューアル工事で乗りかごのかご室を解体することなく、重量物を容易に昇降路内へ搬送して機械室へ揚重できるエレベータ重量物用揚重方法を提供することにある。
【課題を解決するための手段】
【０００８】
上記技術的課題を解決するため、本発明は、建屋に設備された昇降路を昇降する乗りかごを利用して新設用のエレベータ機器の重量物を当該建屋の搬入階から積載して当該昇降路内を経由して上方の作業階床面へ運搬した後、当該昇降路頂部の機械室に設けた揚重装置を用いて当該重量物を当該昇降路内に搬送してから当該機械室内に揚重するエレベータ重量物用揚重方法であって、搬入階から乗りかご内に重量物を積載させて作業階まで当該乗りかごを上昇運転させて停止後に当該重量物を当該作業階床面へ運搬する運搬ステップと、乗りかごを下方の作業階下階側に下げて当該乗りかごの天井を作業足場として当該乗りかごを固定した後に当該乗りかごに固定されたメインロープを外す処理を含み、重量物を運搬した作業階で昇降路内に向けて当該昇降路内に設けられたエレベータガイドレール間に固定された支持材上と当該作業階床面上とで水平に支持される分割組立式の揚重用ガイドレールを取付けるレール取付けステップと、機械室床部に揚重装置の部材及び重量物を通過可能な寸法の開口部を巻上機支持台間に穿設して形成する開口形成ステップと、機械室内に揚重装置を設置する設置ステップと、揚重装置に設けられた電動ウインチと重量物とを機械室床部の開口部を通してウインチロープで固定する処理を含み、当該揚重装置を用いて当該重量物を揚重用ガイドレールに案内させて作業階床面から昇降路内へ搬送する搬送ステップと、揚重装置を用いて重量物を機械室床部の開口部を通して当該機械室内へと揚重する揚重ステップと、を逐次行うと共に、重量物を、メインロープで連結されて昇降路内で乗りかごと釣り合い錘とを当該メインロープを介して駆動する巻上機としたことを特徴とする。
【発明の効果】
【０００９】
本発明によれば、上記処理プロセスを有することにより、エレベータのリニューアル工事で乗りかごのかご室を解体することなく、重量物を容易に昇降路内へ搬送して機械室へ揚重できるようになる。上記した以外の課題、構成及び効果は、以下の実施の形態の説明により明らかにされる。
【図面の簡単な説明】
【００１０】
【図１】本発明の実施例１に係るエレベータ巻上機用揚重方法の要所で適用されるエレベータの概略構成を一部縦方向で断面にして示した図である。
【図２】図１に示した概略構成の細部構造である支持材及び揚重用ガイドレールを一部縦方向で断面にして示した図である。
【図３】図２に示す支持材及び揚重用ガイドレールの配置状態を上方から一部平面方向で断面にして示した図である。
【図４】実施例１のエレベータ巻上機用揚重方法で揚重対象とする台車付き巻上機の揚重状態を示した図であり、（ａ）は揚重前の昇降路内での支持状態に関する図、（ｂ）は機械室に配備された揚重装置を用いた揚重後の吊り上げ状態に関する図である。
【図５】実施例１のエレベータ巻上機用揚重方法を適用する場合の前提となる初期的なエレベータの乗りかごを利用した台車付き巻上機の運搬を説明するために一部縦方向で断面にして示した運搬経路の概略図である。
【図６】実施例１のエレベータ巻上機用揚重方法により建屋の昇降路を経由して機械室内へと揚重される台車付き巻上機の揚重作業手順を示したフローチャートである。
【発明を実施するための形態】
【００１１】
以下に、本発明のエレベータ重量物用揚重方法について、実施例を挙げ、図面を参照して詳細に説明する。
【００１２】
最初に、本願発明のエレベータ重量物用揚重方法の技術的概要について、簡単に説明する。本願発明のエレベータ重量物用揚重方法は、建屋に設備された昇降路を昇降する乗りかごを利用して新設用のエレベータ機器の重量物を建屋の搬入階から積載して昇降路内を経由して上方の作業階床面へ運搬した後、昇降路頂部の機械室に設けた揚重装置を用いて重量物を昇降路内に搬送してから機械室内に揚重するものである。具体的に云えば、搬入階から乗りかご内に重量物を積載させて作業階まで乗りかごを上昇運転させて停止後に重量物を作業階床面へ運搬する運搬ステップと、乗りかごを下方の作業階下階側に下げて乗りかごの天井を作業足場として乗りかごを固定した後に乗りかごに固定されたメインロープを外す処理を含み、重量物を運搬した作業階で昇降路内に向けて昇降路内に設けられたエレベータガイドレール間に固定された支持材上と作業階床面上とで水平に支持される分割組立式の揚重用ガイドレールを取付けるレール取付けステップと、機械室床部に揚重装置の部材及び重量物を通過可能な寸法の開口部を巻上機支持台間に穿設して形成する開口形成ステップと、機械室内に揚重装置を設置する設置ステップと、揚重装置に設けられた電動ウインチと重量物とを機械室床部の開口部を通してウインチロープで固定する処理を含み、揚重装置を用いて重量物を揚重用ガイドレールに案内させて作業階床面から昇降路内へ搬送する搬送ステップと、揚重装置を用いて重量物を機械室床部の開口部を通して機械室内へと揚重する揚重ステップと、を逐次行うものである。
【００１３】
但し、このエレベータ重量物用揚重方法では、重量物を台車上に載置させて固定した構成とし、運搬ステップでは、重量物を台車を利用して乗りかご内に積載させ、搬送ステップでは、台車が揚重用ガイドレール上を走行して案内することにより重量物を昇降路内に搬送することが好ましい。また、搬送ステップでは、揚重用ガイドレール上を走行する台車が揚重用ガイドレールに設けられた係止部（ストッパ）に当接して位置決めされて停止することが好ましい。更に、台車をヒンジにより自重で折り畳まれて機械室床部の開口部を通過可能な構成とし、揚重ステップでは、機械室床部の開口部を通して重量物を揚重するときに台車が自重で折り畳まれた状態で開口部内を通過することが好ましい。因みに、このエレベータ重量物用揚重方法において、重量物の対象をメインロープで連結されて昇降路内で乗りかごと釣り合い錘とをメインロープを介して駆動する巻上機とした形態は、エレベータ巻上機用揚重方法と呼ばれても良い。そこで、以下はエレベータ巻上機用揚重方法の実施例について、具体的に説明する。
【実施例１】
【００１４】
図１は、本発明の実施例１に係るエレベータ巻上機用揚重方法の要所で適用されるエレベータの概略構成を一部縦方向で断面にして示した図である。ここでは、エレベータ巻上機用揚重方法として、上述したエレベータ重量物用揚重方法の場合と同様なレール取付けステップ、開口形成ステップ、及び設置ステップを経た搬送ステップにおいて、揚重装置２を用いて台車９付き巻上機８を搬送路６内に搬送した様子を示しており、この後の揚重ステップで機械室１床部の開口部５を通して機械室１内へと台車９付き巻上機８を揚重する。具体的に説明すれば、ここでは後文で説明する運搬ステップにおいて、エレベータのリニューアル工事で必要とされる新設用の台車９付き巻上機８を予め乗りかごを利用して搬入階から乗りかご内に台車９付き巻上機８を積載させて作業階１１まで乗りかごを上昇運転させて停止した後、台車９付き巻上機８を作業階１１床面へ運搬した状態を想定している。そこで、図１では、前提となるレール取付けステップでエレベータガイドレール７間に固定された支持材１２上と作業階１１床面上とで水平に支持されるように揚重用ガイドレール１０を取付け、開口形成ステップで機械室１床部に開口部５を形成すると共に、設置ステップで機械室１内に揚重装置２を設置した後、運搬ステップで揚重装置２に取り付けられた電動ウインチ３と台車９付き巻上機８とを開口部５を通してウインチロープ４で固定してから電動ウインチ３を駆動させて台車９付き巻上機８をレール１０に案内させて作業階１１床面から昇降路６内へ運搬した様子を示している。引き続く揚重ステップでは、更に電動ウインチ３を駆動させて台車９付き巻上機８を開口部５を通して機械室１内へと揚重する。
【００１５】
図２は、図１に示したエレベータの概略構成の細部構造である支持材１２及び揚重用ガイドレール１０を一部縦方向で断面にして示した図である。また、図３は、支持材１２及び揚重用ガイドレール１０の配置状態を上方から一部平面方向で断面にして示した図である。これらの各図は、揚重用ガイドレール１０の支持材１２に対する組み付け構造を説明するものである。
【００１６】
図２を参照すれば、レール取付けステップにおいて、作業階下階１５に到達した乗りかご１４を下方の作業階下階１５側に下げ、その天井を示すかご上１４ａを作業足場として作業者が乗り込んで乗りかご１４を固定した後、乗りかご１４に固定されたメインロープを外してから作業口１４ｂ近傍で揚重用ガイドレール１０をエレベータガイドレール７間の支持材１２上と作業階１１床面上とにおいて水平となるように設置する様子を示している。このとき、作業員は、かご上１４ａで揚重用ガイドレール１０を支持するための支持材１２を対向するエレベータガイドレール７間に固定した上、この支持材１２上に揚重用ガイドレール１０を作業階１１床面上との間で水平に支持されるように固定する。
【００１７】
ここでの揚重用ガイドレール１０は、図３に示されるように、左右に平行して延在する走行レール１０ａを所定の間隔で連結材１０ｂにより連結固定すると共に、走行レール１０ａの昇降路６側の端部に台車９付き巻上機８の台車９が当接されて位置決めされて停止されるための係止部としてのストッパ１０ｃを設置した分割組立式の構造となっており、作業員がかご上１４ａを作業足場として各部をそれぞれ組立てるように設置する。揚重用ガイドレール１０の設置が終了した後、作業者は乗りかご１４のかご上１４ａに設置される作業口１４ｂから乗りかご１４内に乗り込み、乗りかご１４を経由して作業階下階１５床へ移動する。
【００１８】
図４は、実施例１のエレベータ巻上機用揚重方法で揚重対象とする台車９付き巻上機８の揚重状態を示した図であり、同図（ａ）は揚重前の昇降路６内での支持状態に関する図、同図（ｂ）は機械室１に配備された揚重装置２を用いた揚重後の吊り上げ状態に関する図である。図４（ａ）を参照すれば、ここでは搬送ステップにおいて、図１に示したように作業階１１で作業員が揚重装置２に設けられた電動ウインチ３と台車９付き巻上機８とをウインチロープ４で固定してから電動ウインチ３を駆動することで台車９付き巻上機８を揚重用ガイドレール１０に案内させて作業階１１床面から昇降路６内へ搬送する際、台車９が揚重用ガイドレール１０の走行レール１０ａ上を走行して巻上機８を昇降路６内に搬送する様子を示しており、このときに台車９が揚重用ガイドレール１０に設けられたストッパ１０ｃに当接して位置決めされて停止する。台車９自体は、フレーム９ａ相互間をヒンジ９ｂにより結合すると共に、両端側のフレーム９ａの下方側に車輪９ｃが設けられて中央部のフレーム９ａが巻上機８に固定される構造であり、搬送ステップでの昇降路６内への搬送時には図４（ａ）に示されるように車輪９ｃが走行レール１０ａ上を走行するが、揚重ステップでの機械室１内への揚重時には図４（ｂ）に示されるようにヒンジ９ｂによって両端側のフレーム９ａが自重で折り畳まれて機械室１床部の開口部５を通過可能な構成となっている。
【００１９】
即ち、図４（ａ）に示される搬送ステップでの昇降路６内への搬送時には、フレーム９ａが平面状の形状を維持しながら台車９がストッパ１０ｃに当接して位置決められることで、機械室１床部の開口部５の鉛直方向直下で停止する。また、図４（ｂ）に示される揚重ステップでの機械室１内への揚重時には、更に電動ウインチ３を駆動することで巻上機８が台車９と一緒に吊り上げられるが、このときに台車９の両端側のフレーム９ａがヒンジ９ｂにより自重で底部に設けた車輪９ｃが対向するように折り畳まれてコンパクトな形状となり、機械室１床部に設置されている巻上機支持台１３間に設けられた開口部５を通過して機械室１内へと揚重される。その後に台車９の両端側のフレーム９ａの折り畳みが元の平面状に戻されて巻上機支持台１３上に車輪９ｃが載置され、所定の位置決めが行われて車輪９ｃをロックした時点で巻上機８の機械室１内への設置が完了する。この後は、電動ウインチ３及びウインチロープ４が台車９付き巻上機８及び揚重装置２から取り外され、巻上機支持台１３上の台車９付き巻上機８以外は通常の場合、機械室１から撤去される。
【００２０】
図５は、実施例１のエレベータ巻上機用揚重方法を適用する場合の前提となる初期的なエレベータの乗りかご１４を利用した台車９付き巻上機８の運搬を説明するために一部縦方向で断面にして示した運搬経路の概略図である。図５を参照すれば、ここでは上述した運搬ステップにおいて、エレベータのリニューアル工事で必要とされる新設用の台車９付き巻上機８を乗りかご１４を利用して建屋の搬入階１６床面から乗りかご１４内に積載し、乗りかご１４を作業階１１まで上昇運転させることで昇降路６内に搬入させ、作業階１１で停止して乗りかご１４から台車９付き巻上機８を作業階１１床面へ運搬した様子を示している。尚、図５中に示される乗りかご１４に取り付けられたメインロープ１７は、図２を参照して説明したレール取付けステップにおいて、乗りかご１４を下方の作業階下階１５側に下げて固定した後に乗りかご１４から取り外される。
【００２１】
図６は、実施例１に係るエレベータ巻上機用揚重方法により建屋の昇降路６を経由して機械室１内へと揚重される台車９付き巻上機８の揚重作業手順（図５を参照して説明した運搬を含む）を示したフローチャートである。台車９付き巻上機８の揚重作業手順では、まず運搬ステップとして、エレベータのリニューアル工事で新設する台車９付き巻上機８を建屋の搬入階１６から建屋に搬入（ステップＳ１）して乗りかご１４内に積載した後、乗りかご１４をリニューアル工事する作業階１１とする例えば最上階まで上昇運転して揚重（ステップＳ２）し、最上階床面に運搬する。因みに、ここでの運搬はリニューアル工事するエレベータ以外のエレベータの乗りかご１４を利用して最上階（作業階１１）まで揚重するようにしても良い。
【００２２】
次に、レール取付けステップとして、作業者が最上階（作業階１１）から乗りかご１４のかご上１４ａに乗り込み、乗りかご１４を下降運転させて下方の最上階下階（作業階下階１５）側へ下げ、乗りかご１４をワイヤー等で昇降路６に固定された器具等に吊下げ固定した後、乗りかご１４を吊持しているメインロープ１７を取り外す（ステップＳ３）工程を行った後、作業足場とする乗りかご１４のかご上１４ａから作業員が揚重用ガイドレール１０を昇降路６内に向けてエレベータガイドレール７間に固定された支持材１２上と最上階（作業階１１）床面上とで水平に支持されるように設置した後、作業者が昇降路６から最上階下階（作業階下階１５）へ出る（ステップＳ４）工程を行う。更に、機械室１からリニューアル工事前のエレベータを構成する巻上機や制御盤等の撤去可能な既設の構成部品を撤去するための機械室１機器を撤去（ステップＳ５）する工程を行う。
【００２３】
引き続き、開口形成ステップとして、機械室１の床に揚重用の開口部５（揚重装置２の部材及び巻上機８を通過可能な寸法）を巻上機支持台１３間に穿設して設け、設置ステップとして、門型雇を含む揚重装置２を機械室１に設置する（ステップＳ６）工程を行う。更に、搬送ステップとして、揚重装置２の門型雇に電動ウインチ３を取付け、ウインチロープ４の先端を機械室１床の開口部５を通して最上階（作業階１１）床面まで運搬された新設する台車９付き巻上機８に固定する（ステップＳ７）工程を行った後、電動ウインチ３を駆動して台車９付き巻上機８を揚重用ガイドレール１０上に沿って昇降路６内へ搬送させて取り込み、揚重ステップとして、更に電動ウインチ３を駆動して台車９付き巻上機８を開口部５を通して機械室１まで揚重する（ステップＳ８）工程を行うことにより、台車９付き巻上機８の揚重作業を終了する。
【００２４】
実施例１に係るエレベータ巻上機用揚重方法によれば、運搬ステップで台車９付き巻上機８を搬入階１６から乗りかご１４に積載して上昇運転させて作業階１１で停止した後に作業階１１床面へ運搬し、設置ステップで機械室１に設置した揚重装置２を用いて搬送ステップで揚重装置２に取り付けた電動ウインチ３と台車９付き巻上機８とを開口部５を通してウインチロープ４を用いて固定した状態で乗りかご１４よりも上方に設置された揚重用ガイドレール１０に案内させて台車９付き巻上機８を昇降路６内に搬送してから揚重ステップで開口部５を通して機械室１へ揚重するため、乗りかご１４のかご室を解体したり、改造する必要がなく、全体の作業工数を低減させて台車９付き巻上機８を容易に作業階１１から昇降路６内へ搬送して機械室１へ揚重できる他、追加部品も不要となってリニューアル工事のコストを抑えることができるようになる。
【００２５】
また、レール取付けステップで使用する揚重用ガイドレール１０が走行レール１０ａ、連結材１０ｂ、及びストッパ１０ｃによる分割組立式の構成であり、部品単体を軽量化することができ、作業足場とする乗りかご１４のかご上１４ａで容易に設置できるため、揚重用ガイドレール１０を設置するための専用の作業台の設置が不要となる他、揚重用ガイドレール１０が支持材１２上と作業階１１床上との間で水平に支持され、台車９付き巻上機８の台車９における車輪９ｃをガイドするガイドレール１０ａを持つため、台車９付き巻上機８を昇降路６内へ安定状態を保ったまま搬送して取り込むことができる。更に、搬送ステップで台車９付き巻上機８を昇降路６内へ搬送して取り込み、揚重ステップで開口部５を通して機械室１内に揚重する際、作業員が昇降路６内にいる必要がないため、昇降路６内の作業階１１の上下階相当位置に同時に複数の作業員を待機させることが無く、作業員の安全を確保することが可能となる。加えて、台車９付き巻上機８における台車９のフレーム９ａ相互間がヒンジ９ｂで連結され、揚重時は両端側のフレーム９ａが折り畳まれて機械室１床の開口部５を通過するため、機械室１の開口部５を既存の巻上機支持台１３の間で最小の寸法で形成することができ、穿孔工事が効率化され、しかも巻上機支持台１３を撤去する必要がないために揚重作業を短期間で行うことができる。
【００２６】
尚、上述した実施例１に係るエレベータ巻上機用揚重方法では、リニューアル工事時に新設するエレベータ機器の重量物として、巻上機８を揚重対象として台車９に取り付けた構成を説明したが、巻上機８以外の重量物を台車９に取り付けて揚重対象としても良く、その場合には最初に説明したエレベータ重量物用揚重方法となるため、本発明は実施例１で開示して説明したエレベータ巻上機用揚重方法に限定されない。
【符号の説明】
【００２７】
１  機械室
２  揚重装置
３  電動ウインチ
４  ウインチロープ
５  開口部
６  昇降路
７  エレベータガイドレール
８  巻上機
９  台車
９ａ  フレーム
９ｂ  ヒンジ
９ｃ  車輪
１０  揚重用ガイドレール
１０ａ  走行レール
１０ｂ  連結材
１０ｃ  ストッパ
１１  作業階
１２  支持材
１３  巻上機用支持台
１４  乗りかご
１４ａ  かご上
１４ｂ  作業口
１５  作業階下階
１６  搬入階
１７  メインロープ
【図１】
0005955280.tif 000002
【図２】
0005955280.tif 000003
【図３】
0005955280.tif 000004
【図４】
0005955280.tif 000005
【図５】
0005955280.tif 000006
【図６】
0005955280.tif 000007